(57)【特許請求の範囲】
【請求項１】
外部の交流電源から供給される交流電流を直流に変換する変換回路と、
前記変換回路で変換された電流を光源に供給する点灯回路と、
前記点灯回路から前記光源に流れる電流を制御し、蓄電手段が設けられた第１の制御部と可変抵抗が設けられた第２の制御部を有する点灯制御回路と、を備え、
前記第１の制御部は、前記交流電源から交流電力が供給されてから前記蓄電手段に充電される電圧に基づく信号を第１の点灯信号として前記第２の制御部に出力し、
前記第２の制御部は、前記可変抵抗を用いて前記第１の点灯信号を分圧して第２の点灯信号として前記点灯回路に出力する
ことを特徴とする点灯制御装置。
【請求項２】
前記第１の制御部は、前記蓄電手段の電圧が入力される比較器を有し、
前記比較器は、入力された前記蓄電手段の電圧とフィードバックされた出力を比較して、前記蓄電手段の電圧を前記第１の点灯信号として出力することを特徴とする請求項1に記載の点灯制御装置。
【請求項３】
外部の交流電源から供給される交流電流を直流に変換する変換回路と、
前記変換回路で変換された電流を光源に供給する点灯回路と、
前記点灯回路から前記光源に流れる電流を制御し、第１の蓄電手段と第２の蓄電手段が設けられた第１の制御部と可変抵抗が設けられた第２の制御部を有する点灯制御回路と、を備え、
前記点灯制御回路は、前記交流電源から交流電流が供給されてから前記第１の蓄電手段に充電される電圧に基づく信号を第１の点灯信号として前記第２の制御部に出力し、その後前記第２の蓄電手段に充電される電圧に基づく信号を前記第１の点灯信号として前記第２の制御部に出力し、
前記第２の制御部は、前記第１の点灯信号を前記可変抵抗を用いて分圧して第２の点灯信号として前記点灯回路に出力する
ことを特徴とする点灯制御装置。
【請求項４】
請求項１乃至３のいずれかに記載の点灯制御装置と、
前記点灯制御装置の前記点灯回路から供給される電流により点灯する光源と、
を備える点灯装置。
【発明の詳細な説明】
【技術分野】
【０００１】
本発明は発光ダイオード（以下、ＬＥＤ）や有機ＥＬを点灯する技術に関する。
【背景技術】
【０００２】
従来技術として、電源投入時にＬＥＤが徐々に明るくなる制御、いわゆるフェードイン点灯の技術が知られている。
従来の点灯装置では、フェードイン点灯させるために、コンパレータや論理回路等を用いて構成された制御回路である調光制御部を備え、この調光制御部は、制御可能な最小の限界電流値として予め設定された最小出力電流に満たない電流値である場合に、発光部に最小出力電流を流すための電圧として予め設定された設定電圧にすべくトランジスタのオンオフデューティ比を調整する（例えば、特許文献１参照）。
【先行技術文献】
【特許文献】
【０００３】
【特許文献１】特開２００７−２３４４１５号公報（００２６〜００３５欄、図３）
【発明の概要】
【発明が解決しようとする課題】
【０００４】
しかしながら、従来のフェードイン点灯のための電源などの点灯制御回路では、基板に用いる素子の性能のばらつきに由来する点灯装置毎の性能のばらつき、特に光源の明るさのばらつきが大きくなるという問題があった。また、点灯装置毎の性能のばらつきをなくすために製造時に装置毎に光源に流す電流を調整すると点灯装置の製造に時間がかかるという問題があった。
本発明は、電源投入時のフェードイン点灯可能であって、点灯装置毎の性能のばらつきを抑制かつ製造し易い点灯制御装置及びこれを備えた点灯装置を提供することを目的とする。
【課題を解決するための手段】
【０００５】
上記課題を解決するために、本発明の点灯制御装置は、外部の交流電源から供給される交流電流を直流に変換する変換回路と、前記変換回路で変換された電流を光源に供給する点灯回路と、前記点灯回路から前記光源に流れる電流を制御し、蓄電手段が設けられた第１の制御部と可変抵抗が設けられた第２の制御部を有する点灯制御回路と、を備え、前記第１の制御部は、前記交流電源から交流電力が供給されてから前記蓄電手段に充電される電圧に基づく信号を第１の点灯信号として前記第２の制御部に出力し、前記第２の制御部は、前記可変抵抗を用いて前記第１の点灯信号を分圧して第２の点灯信号として前記点灯回路に出力することを特徴とする。
【０００６】
また、本発明の点灯制御装置は、外部の交流電源から供給される交流電流を直流に変換する変換回路と、前記変換回路で変換された電流を光源に供給する点灯回路と、前記点灯回路から前記光源に流れる電流を制御し、第１の蓄電手段と第２の蓄電手段が設けられた第１の制御部と可変抵抗が設けられた第２の制御部を有する点灯制御回路と、を備え、前記点灯制御回路は、前記交流電源から交流電流が供給されてから前記第１の蓄電手段に充電される電圧に基づく信号を第１の点灯信号として前記第２の制御部に出力し、その後前記第２の蓄電手段に充電される電圧に基づく信号を前記第１の点灯信号として前記第２の制御部に出力し、前記第２の制御部は、前記第１の点灯信号を前記可変抵抗を用いて分圧して第２の点灯信号として前記点灯回路に出力することを特徴する。
【０００７】
また、本発明の点灯装置は、いずれかの前記点灯制御装置と、前記点灯制御装置の前記点灯回路から供給される電流により点灯する光源と、を備える。
【発明の効果】
【０００８】
本発明は、第１の点灯制御部から出力される第１の点灯信号を第２の制御部に設けられた可変抵抗にて分圧することにより、点灯装置毎の性能のばらつきを抑制し、かつ、点灯装置の製造効率を上げることができるという効果を奏する。
【図面の簡単な説明】
【０００９】
【図１】本発明の実施の形態１の点灯装置１００及び点灯制御回路１３の回路図。
【図２】本発明の実施の形態１の点灯装置１００及び点灯制御回路１３の詳細な回路図。
【図３】本発明の実施の形態１の点灯装置１００の時間ｔと電圧、電流の関係を示すタイムチャート図。
【図４】本発明の実施の形態１の別の点灯装置１１０及び点灯制御回路１３ａの回路図。
【図５】本発明の実施の形態２の点灯装置１２０の回路図。
【図６】本発明の実施の形態２の点灯装置１２０の時間ｔと電圧、電流の関係を示すタイムチャート図。
【発明を実施するための形態】
【００１０】
実施の形態１．
図１及び図２は、本実施の形態１の点灯制御回路１３及び点灯装置１００を示す回路図である。
点灯装置１００は、外部から商用電源ＡＣ（交流電流）が入力され、商用電源ＡＣから供給される交流電圧を直流電圧に変換する交流−直流変換回路１１と、交流−直流変換回路１１から得られた直流電圧を光源ＬＡに電力供給する点灯回路１２を備える。点灯回路１２には、点灯制御回路１３と、光源電流検出回路１４が接続されている。なお、光源ＬＡはＬＥＤ（Ｌｉｇｈｔ  Ｅｍｉｔｔｉｎｇ  Ｄｉｏｄｅ）などの半導体発光素子や有機ＥＬ（Ｏｒｇａｎｉｃ  Ｅｌｅｃｔｒｏ−Ｌｕｍｉｎｅｓｃｅｎｃｅ）などである。
【００１１】
交流−直流変換回路１１は、商用交流電源ＡＣから供給される交流電力を整流して出力するダイオードブリッジＤＢと、ダイオードブリッジＤＢから出力される整流電圧を平滑化して直流電圧に変換する平滑コンデンサＣ１２とを備えている。
【００１２】
光源電流検出回路１４は、電流検出手段である抵抗Ｒ１で光源ＬＡに流れる電流値、若しくは抵抗Ｒ１で生じる電位差を検出し、その検出値を点灯制御回路１３に出力する。抵抗Ｒ１はシャント抵抗などである。
【００１３】
点灯制御回路１３は、光源電流検出手段１４から入力された光源ＬＡに流れる電流値に基づいて光源ＬＡに流れる電流が一定になるように点灯回路１２を制御する。なお、点灯制御回路１３は、第１の点灯制御部１５と第２の点灯制御部１６を有している。この第１の点灯制御部１５と第２の点灯制御部１６の詳細については後述する。
【００１４】
点灯回路１２は、いわゆるフライバック方式の定電流回路である。点灯回路１２は、トランスＴＲと、スイッチング手段であるＭＯＳＦＥＴ  Ｑ１１と、このＭＯＳＦＥＴ  Ｑ１１をオン／オフ制御する点灯制御ＩＣなどを備えている。
点灯制御ＩＣは、点灯制御回路１３から出力される点灯信号に入力し、この点灯信号に基づいて、ＭＯＳＦＥＴ  Ｑ１１をオン／オフ制御してデューティ比を調整して光源ＬＡに流れる電流が一定になるように定電流制御する。
トランスＴＲは、交流−直流変換回路１１のコンデンサＣ１２の両端に接続されており、一次巻線Ｔ１と、この一次巻線Ｔ１との巻線比に応じた電圧が発生する二次巻線Ｔ２、Ｔ３を備える。点灯回路１２は、トランスＴＲの二次巻線Ｔ３に接続される抵抗Ｒ１２とダイオードＤ１１と、このダイオードＤ１１のカソードに接続される制御用コンデンサＣ１１とを有している。ダイオードＤ１１はアノードが抵抗Ｒ１２に接続され、カソードが制御用コンデンサＣ１１に接続されている。
また、点灯制御ＩＣは、交流−直流変換回路１１とトランスＴＲの間と抵抗Ｒ１１を介して接続されており、交流−直流変換回路１１で整流された整流電圧から起動電力を得る。また、トランスＴＲは、また、二次巻きとしての二次巻線Ｔ３に抵抗Ｒ１２とダイオードＤ１１が接続され、起動後の制御電源Ｖｃｃ供給をＭＯＳＦＥＴ  Ｑ１１のスイッチングから得ることができる。
そして、制御電源Ｖｃｃは、抵抗Ｒ１１を介して交流-直流変換回路１１の出力を点灯制御ＩＣに供給されて、電源投入直後の点灯制御ＩＣの起動を行う。
【００１５】
トランスＴＲの二次側の二次巻線Ｔ２では、ＭＯＳＦＥＴ  Ｑ１１のスイッチングにより得られた高周波電圧をダイオードＤ１０と電解コンデンサＣ１０で平滑して光源ＬＡに供給する。
【００１６】
点灯制御回路１３の第１の点灯制御部１５では、制御電源Ｖｃｃに抵抗Ｒ２と抵抗Ｒ３が直列に接続されており、抵抗Ｒ２と抵抗Ｒ３の間で分圧して得られた電圧を抵抗Ｒ４を介して蓄電手段であるコンデンサＣ１に印加する。そして、コンデンサＣ１は、この抵抗Ｒ２と抵抗Ｒ３で分圧された制御電圧Ｖｃｃにより充電される。コンデンサＣ１に充電された電圧は、オペアンプＩＣ１の非反転端子に出力される。オペアンプＩＣ１の出力端子は、オペアンプＩＣ１の反転端子に接続されており、オペアンプＩＣ１の出力がオペアンプＩＣ１の反転端子に入力される構成となっている。よって、オペアンプＩＣ１は、コンデンサＣ１で得られた電圧を安定的に出力する。尚、抵抗Ｒ２、Ｒ３に対して抵抗Ｒ４が十分に大きい場合、コンデンサＣ１の充電時定数は、抵抗Ｒ２、Ｒ３の抵抗値にかかわらず、抵抗Ｒ４とコンデンサＣ１の容量で求まる。
【００１７】
第１の点灯制御部１５のオペアンプＩＣ１の出力端子から得られた電圧は、第２の点灯制御部１６に出力される。オペアンプＩＣ１から出力された電圧は、抵抗Ｒ５及び可変抵抗ＶＲで抵抗分圧されて、第２の点灯制御部１６のオペアンプＩＣ２の非反転端子に入力される。なお、オペアンプＩＣ２の非反転端子には、コンデンサＣ２が接続されており、オペアンプＩＣ２の非反転端子に入力される電圧は、コンデンサＣ２でノイズが除去される。尚、コンデンサＣ２は主としてＢ点の電圧のノイズを除去するための容量の小さいものであるので、点灯装置１００は、コンデンサＣ２がない構成であってもよい。
【００１８】
光源電流検出回路１４には、抵抗Ｒ１が設けられており、抵抗Ｒ１の一端は接地されているので、光源ＬＡに流れる電流に比例した電圧を検出することができる。抵抗Ｒ１に発生する電圧は、第２の点灯制御部１６のオペアンプＩＣ２の反転端子に入力される。光源電流検出回路１４から反転端子に入力された電圧とコンデンサＣ２に充電された電圧（オペアンプＩＣ１から出力され抵抗Ｒ５と可変抵抗ＶＲで分圧された電圧）とがオペアンプＩＣ２で比較され、オペアンプＩＣ２は光源ＬＡに流れる電流が定電流になるように、点灯回路１２に制御信号を出力する。
【００１９】
図３は、図１及び図２に示す点灯装置の各部の出力電圧と光源電流の関係を示したタイムチャート図である。縦軸に後述するそれぞれの出力電圧、光源電流を示し、横軸に時間ｔを示している。
【００２０】
時間ｔ０で商用電源ＡＣ電源が供給開始すると、その後、時間ｔ１で制御電源Ｖｃｃに電源が供給される。制御電源Ｖｃｃが立ち上がると、Ａ点の電圧、即ち、コンデンサＣ１は、抵抗Ｒ２、Ｒ３、Ｒ４、コンデンサＣ１の充電時定数に基づいて、指数関数的に電圧が充電される。そして、時間ｔ２でＡ点及びＢ点の電圧並びに光源ＬＡに流れる電流が安定する。
なお、コンデンサＣ１に充電される電圧と時間Ｔの関係は、下記の式(1)で求めることができる。
【００２１】
【数１】
0005720457.tif 000002
【００２２】
Ｂ点にはＡ点の電圧を抵抗Ｒ５と可変抵抗ＶＲで抵抗分圧した電圧が印加される。このＢ点の電圧が、抵抗Ｒ１に発生する電圧と等しくなるように、点灯回路１２の点灯制御ＩＣはＭＯＳＦＥＴ  Ｑ１１をオンオフ制御する。
このことから、Ａ点の電圧変化は光源ＬＡに流れる電流の変化に等しくなり、光源ＬＡのフェードイン点灯が可能となる。フェードイン点灯の光源電流と時間ｔの関係は前記式（１）のとおりであるが、実使用上では使用者が違和感を覚えない程度の長さにする必要がある。
【００２３】
使用者は、短い時間の変化ではフェードイン点灯していると認識しづらく、逆に長い時間では、全光点灯するまでに長い時間が必要となり、不便性を感じる。
そこで、一般使用者に統計をとると、前記式（１）の算出に用いた回路では、商用電源ＡＣを投入してから一定電圧になるまでに約３秒必要とする状態が好ましいという結果が得られた。なお、一般使用者の感覚では、１秒以下では速い、５秒以上では遅い、２秒〜４秒が好ましいと感じる傾向にあることが判明した。
【００２４】
可変抵抗ＶＲは、点灯装置毎の光源電流のバラツキを解消する目的がある。点灯制御ＩＣに定電流制御されて光源ＬＡに流れる電流は、抵抗Ｒ１、Ｒ２、Ｒ３、Ｒ４及びオペアンプＩＣ１のオフセット電圧で定められる値で決まる。抵抗Ｒ１、Ｒ２、Ｒ３、Ｒ４及びオペアンプＩＣ１のオフセット電圧は固体バラツキがあるため、結果、点灯装置毎に光源電流にバラツキが生じる。このバラツキを吸収するために、可変抵抗ＶＲの抵抗値を製造ライン上で調整することで、Ｂ点の電圧が可変され、結果、点灯装置毎の光源電流バラツキが解消できる。また、その際、時間ｔ０から時間ｔ２までの時間が約３秒となるように、製造ライン上で可変抵抗ＶＲの抵抗値を調整する。
【００２５】
本発明では、第２の点灯制御部１６に可変抵抗ＶＲを設けて、製造ライン上でその抵抗値を調整しているが、ここで、第２の点灯制御部１６の必要性について述べる。
例えば、第２の点灯制御部１６がない構成の点灯装置を考えてみる。第１の点灯制御部１５において、オペアンプＩＣ１の反転入力端子側が光源電流検出回路１４の抵抗Ｒ１の検出電圧を入力し、出力端子が点灯回路１２に接続すれば、光源電流のフェードイン点灯が可能である。
ただし、定電流制御される値は、前述したように、抵抗Ｒ１、Ｒ２、Ｒ３、Ｒ４及びオペアンプＩＣ１のオフセット電圧で定められる値で決まり、抵抗及びオペアンプＩＣ１のオフセットは固体バラツキがあるため、結果、点灯装置毎に光源電流にバラツキが生じる。
【００２６】
そこで、抵抗Ｒ１、Ｒ２、Ｒ３、Ｒ４及びオペアンプＩＣ１のオフセット電圧の固体バラツキを吸収するように、例えば、抵抗Ｒ３を可変抵抗に変更することで、製造ライン上で、可変抵抗の抵抗値を変えて調整すれば点灯装置毎のバラツキを解消することができる。
【００２７】
しかしながら、このように第１の点灯制御部１５内に可変抵抗を使用すると、フェードイン点灯するように光源電流の目標値の変化時間を遅らせているのであるから、製造ライン上の調整時間が長くなってしまう。
つまり、製造ライン上で第１の点灯制御部１５内の可変抵抗の抵抗値を調整する際に光源ＬＡに流れる電流が安定するまでに数秒ほど掛かってしまうので、点灯装置一台毎の調整に時間が掛かり製造効率が悪化する。
【００２８】
よって、本願発明の第２の点灯制御部１６のように、可変抵抗ＶＲをフェードイン点灯の時間を生成する第１の点灯制御部１５と分けて回路を組み、第２の点灯制御部１６に可変抵抗ＶＲを設けているので、可変抵抗ＶＲの調整に対する光源電流の応答性がよく、可変抵抗ＶＲの抵抗値の調整時に生じる光源ＬＡに流れる電流が安定化するまでの時間が短時間で済む。よって、点灯装置毎の光源ＬＡに流す電流の調整が、短時間で可能であり、点灯装置毎のバラツキを解消し、かつ、製造し易い点灯装置とすることができる。
【００２９】
図４は、実施の形態１の別の点灯装置１１０を示している。図１に図示している点灯装置と図４に図示する点灯装置との違いを述べる。
【００３０】
点灯装置１１０は、点灯制御回路１３ａを備えており、点灯制御回路１３ａは第１の点灯制御部１５ａ、第２の点灯制御部１６及び調光信号回路２０を有している。尚、第２の点灯制御部１６は点灯装置１００の第２の点灯制御部１６と同様の構成であるので、詳細な構成については上述したとおりである。
【００３１】
点灯装置１１０の外部から調光信号２００が調光信号処理回路２０に入力される。この調光信号は、ＰＷＭ信号である。調光信号処理回路２０に入力された調光信号２００は、ダイオードブリッジＤＢ２を介して、フォトカプラＰＣに入力される。このダイオードブリッジＤＢ２は、調光信号２００が外部から入力されるため、極性を誤った場合であっても、ダイオードブリッジＤＢの後段に接続されるフォトカプラＰＣがＰＷＭに同期して設計意図通りにスイッチングすることができる。
【００３２】
Ａ点の電圧は、ＰＷＭ信号に同期してスイッチングしたフォトカプラＰＣから得られた電圧から抵抗Ｒ２ａ、Ｒ３ａ、Ｒ４ａ、コンデンサＣ１ａで得られた時定数に基づいて決定され、図１で示した制御と同様になる。
なお、Ａ点の電圧は、外部から入力される調光信号から得られる電圧でも構わない。
【００３３】
実施の形態２．
図５には、本実施の形態２の点灯装置１２０、及び点灯制御回路１３ｂの回路図を示している。実施の形態１の点灯装置１００、点灯制御回路１３と比較して、電源投入後のフェードイン点灯を視覚的により良くしたものである。本実施の形態２では、実施の形態１の第１の点灯制御部１５の差違を中心に述べる。なお、本実施の形態２では実施の形態１と同一の構成には同一の符号を付して詳細な説明は省略する。
【００３４】
制御電源Ｖｃｃに、抵抗Ｒ６と抵抗Ｒ７が並列に接続されており、抵抗Ｒ６にＭＯＳＦＥＴ  Ｑ１のゲートが接続されており、抵抗Ｒ７及びコンデンサＣ４にＭＯＳＦＥＴ  Ｑ２のゲートが接続されている。なお、抵抗Ｒ７とコンデンサＣ４は直列に接続されており、ＭＯＳＦＥＴ  Ｑ２のゲートは抵抗Ｒ７とコンデンサＣ４の間に接続されている。
ＭＯＳＦＥＴ  Ｑ１のコレクタにはコンデンサＣ３が接続され、コンデンサＣ３とコンデンサＣ１ｂに抵抗Ｒ２ｂが接続される。ＭＯＳＦＥＴ  Ｑ２のコレクタにはＭＯＳＦＥＴ  Ｑ１のゲートが接続される。
【００３５】
図６は、本実施の形態２の図５に示す点灯装置１２０の各部の出力電圧、光源電流と時間ｔとの関係を示したタイムチャート図である。図６を用いて点灯装置１２０の動作について説明する。
【００３６】
時間ｔ０で商用電源ＡＣが交流電流の供給を開始すると、その後、時間ｔ１で制御電源Ｖｃｃに電源が供給される。
Ｃ点（ＭＯＳＦＥＴ  Ｑ２のゲート）の電圧は抵抗Ｒ７およびコンデンサＣ４の充電時定数で決定され、Ｃ点の電圧がＭＯＳＦＥＴ  Ｑ２ターンオンまで達さないときは、ＭＯＳＦＥＴ  Ｑ１はオフ状態である。つまり、コンデンサＣ４がある閾値まで充電されるとＭＯＳＦＥＴ  Ｑ２がターンオンし、ＭＯＳＦＥＴ  Ｑ２のコレクタからエミッタに電流が流れるので、ＭＯＳＦＥＴ  Ｑ１のゲートの電圧が下がって、ＭＯＳＦＥＴ  Ｑ１はターンオフする。
よって、電源投入後に制御電源Ｖｃｃが立ち上がると、時間ｔ１からｔ２までの間Ａ点の電圧、即ち、コンデンサＣ１およびコンデンサＣ３には、抵抗Ｒ２、コンデンサＣ１、コンデンサＣ３の充電時定数に基づいて充電される。
【００３７】
Ｃ点の電圧がＭＯＳＦＥＴ  Ｑ２ターンオンに達する時間ｔ２には、ＭＯＳＦＥＴ  Ｑ２がオンして、ＭＯＳＦＥＴ  Ｑ１がオフする。ＭＯＳＦＥＴ  Ｑ１がオフすると、コンデンサＣ３には電流が流れなくなり、時間ｔ２以降では抵抗Ｒ２ｂ、コンデンサＣ１ｂの充電時定数に基づいて指数関数的にコンデンサＣ１ｂが充電される。コンデンサＣ１ｂの両端電圧が図５中のＡ点の電圧となり、Ａ点の電圧がオペアンプＩＣ１ｂの非反転入力端子に入力される。オペアンプＩＣ１ｂでは、出力がフィードバックされて反転入力端子に入力され、非反転入力端子からの入力値と反転端子からの入力値を比較する。よって、オペアンプＩＣ１ｂは、コンデンサＣ１ｂで得られた電圧を安定的に出力する。
【００３８】
時間ｔ１から時間ｔ２までと、時間ｔ２以降では、コンデンサＣ３の有り無し、或いはコンデンサＣ３の容量による影響で、Ａ点が充電される時定数が異なる。よって、前述したように、電源投入直後のフェードイン点灯は、Ａ点の電圧変動で決まるため、時間ｔ１から時間ｔ２まではコンデンサＣ３が接続されるため、ゆっくりしたフェードイン点灯が可能である。これは、フェードイン点灯はできるだけゆっくりした変化の方がフェードイン点灯と認識し易く、また、視覚的にも好ましいと考えられるためである。ただし、ゆっくりフェードイン点灯を行うと、逆に安定した最大出力までに時間がかかってしまうため、このように、フェードイン点灯中にＭＯＳＦＥＴ  Ｑ１がオフするタイミングで光源ＬＡに流れる電流に変曲点を設けるほうが視覚的に好ましい。
【００３９】
以上のように、本実施の形態２の点灯制御装置１３ｂ、点灯装置１２０では、フェードイン点灯時に光源電流に変曲点を設けるようにしたので、使用者にとって視覚的にも好ましい点灯装置とすることができる。
【産業上の利用可能性】
【００４０】
本発明は、ＬＥＤや有機ＥＬを用いた照明装置に利用することができる。
【符号の説明】
【００４１】
１１  交流−直流変換回路、１２  点灯回路、１３  点灯制御回路、１４  電流検出回路、１５  第１の点灯制御部、１６  第２の点灯制御部、２０  調光信号処理回路、ＩＣ１〜ＩＣ２  オペアンプ、２００  調光信号、ＡＣ  商用電源、Ｃ１〜Ｃ４、Ｃ１０〜Ｃ１２  コンデンサ、Ｒ１〜Ｒ７、Ｒ１１〜Ｒ１２  抵抗、ＶＲ  可変抵抗、Ｑ１〜Ｑ２、Ｑ１１  ＭＯＳ−ＦＥＴ、ＰＣ  フォトカプラ、Ｄ１０〜Ｄ１１  ダイオード、ＴＲ  トランス、Ｖｃｃ  制御電源、ＬＡ  光源。
【図１】
0005720457.tif 000003
【図２】
0005720457.tif 000004
【図３】
0005720457.tif 000005
【図４】
0005720457.tif 000006
【図５】
0005720457.tif 000007
【図６】
0005720457.tif 000008